(57)【要約】      （修正有）【課題】印刷のムラが発生し難く、プラテンに載置された記録媒体の浮き上がりを抑制し、かつ、記録媒体に着弾したインクが乾燥し易い印刷装置を提供する。【解決手段】印刷装置１００は、複数の吸引孔６０を備えたプラテン１６ａと、副走査方向Ｘに並んだ複数のノズルを有するノズル列３６ａを備えたインクヘッド３５と、プラテン１６ａの裏面側に配置されたヒータ５０と、吸引孔６０を通じてプラテン１６ａの上方の空気をプラテン１６ａの下方に吸引する吸引装置５１と、を備えている。ヒータ５０は、主走査方向から見たとき、少なくとも一部がノズル列３６ａと上下方向で重なる位置に配置されている。吸引孔６０は、主走査方向から見たとき、ノズル列３６ａと上下方向で重なる位置に配置される複数の第１吸引孔６１を備える。第１吸引孔６１は、ヒータ５０よりも副走査方向Ｘの下流側に配置されている。【選択図】図２
2019136902.tif 000002
【特許請求の範囲】
【請求項１】
複数の吸引孔を備え、記録媒体が載置されるプラテンと、
前記プラテンに載置された前記記録媒体にインクを吐出し、副走査方向に並んだ複数のノズルを有するノズル列を備えたインクヘッドと、
前記プラテンに載置された前記記録媒体を前記副走査方向の上流側から下流側に移動させる媒体移動機構と、
前記プラテンの裏面側に配置されたヒータと、
前記吸引孔を通じて前記プラテンの上方の空気を前記プラテンの下方に吸引する吸引装置と、
を備え、
前記ヒータは、前記副走査方向と直交する主走査方向から見たとき、少なくとも一部が前記ノズル列と上下方向で重なる位置に配置されており、
前記吸引孔は、前記主走査方向から見たとき、前記ノズル列と上下方向で重なる位置に配置される複数の第１吸引孔を備え、
前記第１吸引孔は、前記ヒータよりも前記副走査方向の下流側に配置されている、印刷装置。
【請求項２】
前記プラテンは、前記主走査方向から見たときに前記ヒータと上下方向で重なる上面に形成され、カッター刃の先端部が入り込むカッター溝を備えている、請求項１に記載された印刷装置。
【請求項３】
前記吸引孔は、前記ヒータよりも前記上流側の前記プラテンの部位に形成された複数の第２吸引孔を備えている、請求項２に記載された印刷装置。
【請求項４】
前記プラテンに一部が埋設されたグリットローラを備え、
前記第２吸引孔は、前記カッター溝と前記グリットローラとの間に位置している、請求項３に記載された印刷装置。
【請求項５】
前記プラテンと共に前記記録媒体を挟むクランプを備え、
前記プラテンは、前記第１吸引孔よりも前記下流側の部位に形成され、前記主走査方向に延びたクランプ溝を備えている、請求項１から４まで何れか１つに記載された印刷装置。
【請求項６】
前記吸引孔は、前記クランプ溝の前記下流側の前記プラテンの部位に形成された複数の第３吸引孔を備えている、請求項５に記載された印刷装置。
【発明の詳細な説明】
【技術分野】
【０００１】
本発明は、印刷装置に関する。
【背景技術】
【０００２】
従来から、インクジェット式の印刷装置が知られている。例えば、特許文献１に開示された印刷装置は、記録媒体が載置されるプラテンと、プラテンに向かってインクが吐出されるインクヘッドとを備えている。このような印刷装置は、インクヘッドが主走査方向に移動している間に、インクヘッドからインクを吐出させるように構成されている。また、このような印刷装置は、プラテンに載置された記録媒体を、主走査方向と直交する副走査方向に移動させるように構成されている。
【先行技術文献】
【特許文献】
【０００３】
【特許文献１】特開２０１６−６８３８８号公報
【発明の概要】
【発明が解決しようとする課題】
【０００４】
ところで、プラテンには、例えば複数の吸引孔が形成され、プラテンの下方に配置された吸引装置が作動することで、プラテンの上方の空気が吸引孔を通じてプラテンの下方に吸引される。このことで、記録媒体がプラテンに密着するため、プラテンから浮き上がることを抑制することができる。吸引装置によってプラテンの上方の空気が吸引されることで、プラテン近傍の温度は下がる。
【０００５】
ところで、プラテンの裏面側にはヒータが設けられていることがあり得る。ヒータの熱によって、プラテンに載置された記録媒体、および、記録媒体に着弾したインクが熱されることで、記録媒体に着弾したインクの乾燥が促進される。そのため、ヒータによってプラテン近傍の温度は上がる。このように、プラテン近傍の温度が下がる要因となる吸引孔と、プラテン近傍の温度が上がる要因となるヒータとの位置関係によっては、プラテン近傍の温度が急激に上下することがあった。例えば、ヒータの上方に位置するプラテンの部位に吸引孔が形成されている場合、プラテン近傍の温度が急激に上下するため、印刷のムラが発生することがあった。
【０００６】
本発明はかかる点に鑑みてなされたものであり、その目的は、印刷のムラが発生し難く、プラテンに載置された記録媒体の浮き上がりを抑制し、かつ、記録媒体に着弾したインクが乾燥し易い印刷装置を提供することである。
【課題を解決するための手段】
【０００７】
本発明に係る印刷装置は、プラテンと、インクヘッドと、媒体移動機構と、ヒータと、吸引装置とを備えている。前記プラテンは、複数の吸引孔を備え、記録媒体が載置される。前記インクヘッドは、前記プラテンに載置された前記記録媒体にインクを吐出し、副走査方向に並んだ複数のノズルを有するノズル列を備えている。前記媒体移動機構は、前記プラテンに載置された前記記録媒体を前記副走査方向の上流側から下流側に移動させる。前記ヒータは、前記プラテンの裏面側に配置されている。前記吸引装置は、前記吸引孔を通じて前記プラテンの上方の空気を前記プラテンの下方に吸引する。前記ヒータは、前記副走査方向と直交する主走査方向から見たとき、少なくとも一部が前記ノズル列と上下方向で重なる位置に配置されている。前記吸引孔は、前記主走査方向から見たとき、前記ノズル列と上下方向で重なる位置に配置される複数の第１吸引孔を備えている。前記第１吸引孔は、前記ヒータよりも前記副走査方向の下流側に配置されている。
【０００８】
前記印刷装置によれば、第１吸引孔は、主走査方向から見たとき、ノズル列と上下方向で重なる位置に配置されている。このことによって、記録媒体のうちインクが着弾する部位は、第１吸引孔を通じて吸引装置によってプラテンの下方に吸引される。よって、インクが着弾する記録媒体の部位をプラテンに密着させることができる。ヒータによって記録媒体が熱せられ、熱せられた記録媒体の部位にインクが着弾する。このことによって、記録媒体に着弾したインクの乾燥を促進することができる。また、前記印刷装置によれば、第１吸引孔は、ヒータよりも副走査方向の下流側に配置されている。このことによって、ヒータと上下方向に重なるプラテンの部位に第１吸引孔が形成されている場合と比較して、ヒータと第１吸引孔との距離を確保することができる。よって、ヒータによる加熱と、吸引装置による冷却とによって、プラテン近傍の温度が比較的に急激に上下しないため、印刷のムラが発生することを抑制することができる。
【発明の効果】
【０００９】
本発明によれば、印刷のムラが発生し難く、プラテンに載置された記録媒体の浮き上がりを抑制し、かつ、記録媒体に着弾したインクが乾燥し易い印刷装置を提供することができる。
【図面の簡単な説明】
【００１０】
【図１】第１実施形態に係る印刷装置の正面図である。
【図２】図１のＩＩ−ＩＩ断面に沿う印刷装置の側面断面図である。
【図３】キャリッジの記録媒体と対向する側の面の構成を示す模式図である。
【図４】プラテンの斜視図である。
【図５】第２実施形態に係るキャリッジの記録媒体と対向する側の面の構成を示す模式図である。
【図６】第２実施形態に係る印刷装置の側面断面図であり、図２相当図である。
【図７】第２実施形態に係るプラテンの斜視図であり、図４相当図である。
【発明を実施するための形態】
【００１１】
以下、図面を参照しながら、本発明の実施形態に係る印刷装置について説明する。なお、ここで説明される実施形態は、当然ながら本発明を特に限定することを意図したものではない。また、同じ作用を奏する部材・部位には同じ符号を付し、重複する説明は適宜省略または簡略化される。
【００１２】
＜第１実施形態＞
まず、第１実施形態に係る印刷装置について説明する。図１は、第１実施形態に係る印刷装置１００の正面図である。図２は、図１のＩＩ−ＩＩ断面に沿う印刷装置１００の側面断面図である。以下の説明では、前、後、左、右、上、下とは、印刷装置１００を正面から見たときの前、後、左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。また、図面中の符号Ｙは主走査方向を示している。ここでは、主走査方向Ｙは左右方向である。図面中の符号Ｘは副走査方向を示している。ここでは、副走査方向Ｘは前後方向であり、平面視において主走査方向Ｙと直交している。副走査方向Ｘは、後述する記録媒体５を搬送する方向である。記録媒体５は、上流側から下流側に向かって搬送される。ここでは、上流側が後側であり、下流側が前側である。図面中の符号Ｚは、高さ方向、すなわち、上下方向を示している。ただし、これら方向は説明の便宜上定めた方向に過ぎず、印刷装置１００の設置態様を何ら限定するものではなく、本発明を何ら限定するものでもない。
【００１３】
図１に示すように、印刷装置１００は、インクジェット式のプリンタである。ただし、印刷装置１００の印刷方式はインクジェット式に限定されない。印刷装置１００は、記録媒体５にインクを吐出することで、記録媒体５に対して印刷を行う装置である。例えば、印刷装置１００は、ロール状の記録媒体５を順次前方に移動させると共に、主走査方向Ｙに移動するインクヘッド３５（図１参照）からインクを吐出させることによって、記録媒体５に画像を印刷する。
【００１４】
記録媒体５は、画像が印刷されるものである。なお、記録媒体５の種類は特に限定されない。記録媒体５は、例えば普通紙やインクジェット用印刷紙などの紙類であってもよい。また、記録媒体５は、ポリ塩化ビニル（polyvinyl chloride、PVC）またはポリエステルなどの樹脂製またはガラス製などの透明なシートであってもよい。記録媒体５は、金属製またはゴム製などのシートであってもよい。
【００１５】
印刷装置１００は、本体１０と、脚１１とを備えている。本体１０は、主走査方向Ｙに延びたケーシングを有する。脚１１は、本体１０を支持するものであり、本体１０の下面に設けられている。
【００１６】
図２に示すように、印刷装置１００は、プラテン１６ａと、上流側サブプラテン１６ｂと、下流側サブプラテン１６ｃとを備えている。プラテン１６ａ、上流側サブプラテン１６ｂおよび下流側サブプラテン１６ｃは、記録媒体５への印刷を行う際、記録媒体５を支持するものである。プラテン１６ａ、上流側サブプラテン１６ｂおよび下流側サブプラテン１６ｃは、それぞれ主走査方向Ｙに延びている。
【００１７】
プラテン１６ａには、記録媒体５が載置され、プラテン１６ａ上において、画像の印刷が行われる。プラテン１６ａは、インクヘッド３５の下方に配置され、かつ、側面視においてインクヘッド３５と上下方向に重なる位置に配置されている。なお、以下の説明において、「〜の下方（または上方）に配置されている（または位置する）」とは、上下方向に重なる位置に配置されていることを意味する。また、「側面視」とは、主走査方向Ｙから見たときのことである。プラテン１６ａの上面は、平らな面である。
【００１８】
上流側サブプラテン１６ｂは、プラテン１６ａよりも上流側に配置されており、プラテン１６ａの後方に位置している。上流側サブプラテン１６ｂは、記録媒体５をプラテン１６ａに案内するものである。図示は省略するが、上流側サブプラテン１６ｂは、例えば横断面円弧状に形成されている。上流側サブプラテン１６ｂは、プラテン１６ａから離れるほど下方に向かうように湾曲している。下流側サブプラテン１６ｃは、プラテン１６ａよりも下流側に配置されており、プラテン１６ａの前方に位置している。下流側サブプラテン１６ｃは、例えば、プラテン１６ａに載置された記録媒体５を巻き取る巻き取り装置（図示せず）に案内するものである。図示は省略するが、下流側サブプラテン１６ｃは、横断面円弧状に形成されている。下流側サブプラテン１６ｃは、プラテン１６ａから離れるほど下方に向かうように湾曲している。
【００１９】
図１に示すように、印刷装置１００は、ヘッド移動機構３１と、媒体移動機構３２とを備えている。ヘッド移動機構３１は、インクヘッド３５を主走査方向Ｙに移動させる機構である。なお、ヘッド移動機構３１の構成は特に限定されない。本実施形態では、ヘッド移動機構３１は、ガイドレール２０と、プーリ２１と、プーリ２２と、無端状のベルト２３と、第１駆動モータ２４と、キャリッジ３０とを有している。ガイドレール２０は、キャリッジ３０の主走査方向Ｙへの移動をガイドするものである。ガイドレール２０は、主走査方向Ｙに延びている。ガイドレール２０は、プラテン１６ａの上方に配置されている。プーリ２１は、ガイドレール２０の左端部分に設けられている。プーリ２２は、ガイドレール２０の右端部分に設けられている。ベルト２３は、プーリ２１とプーリ２２とに巻き掛けられている。本実施形態では、右側のプーリ２２には、第１駆動モータ２４が接続されている。ただし、第１駆動モータ２４は、左側のプーリ２１に接続されていてもよい。本実施形態では、第１駆動モータ２４が駆動して、プーリ２２が回転することで、プーリ２１とプーリ２２との間においてベルト２３が走行する。
【００２０】
キャリッジ３０は、ベルト２３に取り付けられている。キャリッジ３０は、ガイドレール２０に係合しており、ガイドレール２０に摺動自在に設けられている。キャリッジ３０には、インクヘッド３５が支持されている。本実施形態では、ヘッド移動機構３１は、第１駆動モータ２４の駆動によってベルト２３が走行して、キャリッジ３０が主走査方向Ｙに移動することに伴い、キャリッジ３０に搭載されたインクヘッド３５を主走査方向Ｙに移動させる。
【００２１】
媒体移動機構３２は、プラテン１６ａに載置された記録媒体５を副走査方向Ｘに移動させるものである。なお、媒体移動機構３２の構成は特に限定されない。本実施形態では、媒体移動機構３２は、グリットローラ２５と、ピンチローラ２６と、第２駆動モータ２７とを有している。図２に示すように、グリットローラ２５は、プラテン１６ａに設けられている。ここでは、グリットローラ２５の少なくとも一部は、プラテン１６ａに埋設されている。ピンチローラ２６は、記録媒体５を上から押えつけるものである。ピンチローラ２６は、プラテン１６ａの上方であって、グリットローラ２５の上方に配置されており、上下方向に重なる位置に配置されている。ピンチローラ２６は、グリットローラ２５と上下方向Ｚに対向する位置に設けられている。ピンチローラ２６は、上下方向Ｚに移動可能に構成されている。なお、グリットローラ２５およびピンチローラ２６のそれぞれの設置位置および数は特に限定されない。本実施形態では、図１に示すように、グリットローラ２５およびピンチローラ２６は、プラテン１６ａの左端部および右端部にそれぞれ配置されている。
【００２２】
本実施形態では、第２駆動モータ２７は、グリットローラ２５に接続されている。グリットローラ２５とピンチローラ２６との間に記録媒体５が挟まれた状態で、第２駆動モータ２７が駆動してグリットローラ２５が回転すると、記録媒体５は副走査方向Ｘの上流側から下流側に搬送される。
【００２３】
図３は、キャリッジ３０の記録媒体５と対向する側の面（本実施形態では下面）の構成を示す模式図である。図３に示すように、印刷装置１００は複数のインクヘッド３５を備えている。インクヘッド３５はインクを吐出するものである。インクヘッド３５は、キャリッジ３０に支持されている。図２に示すように、インクヘッド３５は、プラテン１６ａの上方に配置され、キャリッジ３０を介してガイドレール２０（図１参照）に摺動自在に設けられている。インクヘッド３５は、ヘッド移動機構３１によってガイドレール２０に沿って主走査方向Ｙに移動する。本実施形態では、インクヘッド３５の数は、図３に示すように４つである。しかしながら、インクヘッド３５の数は特に限定されない。４つのインクヘッド３５は、主走査方向Ｙに並んで配置されている。４つのインクヘッド３５からそれぞれ異なる色調のインクが吐出される。例えば、各インクヘッド３５は、シアンインク、マゼンタインク、イエローインク、ブラックインクのうち何れかのインクを吐出する。
【００２４】
インクヘッド３５の底面には、複数のノズル３６が形成されている。これら複数のノズル３６からインクが吐出される。各インクヘッド３５の複数のノズル３６は、副走査方向Ｘに並んで配置されている。ここでは、各インクヘッド３５の複数のノズル３６は、副走査方向Ｘに１列に並んでいるが、千鳥状に配置されていてもよい。ここでは、各インクヘッド３５において、副走査方向Ｘに並んだ複数のノズル３６の列のことをノズル列３６ａと称する。
【００２５】
なお、本実施形態では、複数のインクヘッド３５は、それぞれ図示しないインク供給路によって、インクカートリッジ３７（図１参照）に接続されている。インクカートリッジ３７は、例えば本体１０の左端部に着脱自在に配置されている。なお、インクの材料は特に限定されず、従来から印刷装置のインクの材料として用いられている各種の材料を使用することができる。上記インクは、例えば、ソルベント系（溶剤系）顔料インクや水性顔料インクであってもよいし、水性染料インク、あるいは、紫外線を受けて硬化する紫外線硬化型顔料インクなどであってもよい。
【００２６】
本実施形態では、図１に示すように、キャリッジ３０には、カッター当接機構４０と、カッターユニット４１とが設けられている。カッターユニット４１のカッター刃４６は、プラテン１６ａに載置された記録媒体５を切断する。カッターユニット４１は、カッター当接機構４０に保持されている。カッター当接機構４０は、カッターユニット４１を記録媒体５に当接させ、または離反させるものである。本実施形態では、カッター当接機構４０は、カッターユニット４１を上方および下方に移動させることによって、カッターユニット４１を記録媒体５に当接または離反させる。なお、カッター当接機構４０の構成は特に限定されない。例えば、カッター当接機構４０は、図示しないスプリングとソレノイドを備えている。ソレノイドがＯＮすることによって下方に移動し、カッターユニット４１を記録媒体５に当接させる。ソレノイドがＯＦＦのとき、カッター当接機構４０はスプリングの力によって上方に持ち上げられており、カッターユニット４１は記録媒体５から離間している。
【００２７】
カッターユニット４１は例えば円柱状の部材である。カッターユニット４１は、カッター当接機構４０に支持されたカッターホルダ４５と、カッターホルダ４５の下端に固定されたカッター刃４６とを備えている。カッター刃４６は、カッターホルダ４５によって着脱可能に保持されている。プラテン１６ａに載置された記録媒体５は、カッターユニット４１のカッター刃４６によって切断される。
【００２８】
図４は、プラテン１６ａの斜視図である。図４に示すように、プラテン１６ａは、カッター溝４８を備えている。カッター溝４８には、記録媒体５を切断する際、カッター刃４６（図１参照）の先端部が入り込む。カッター溝４８は、記録媒体５を切断した際に発生する紙粉や切り屑などが落下する溝でもある。カッター溝４８は、主走査方向Ｙに延びている。カッター溝４８の主走査方向Ｙの長さは、記録媒体５の主走査方向Ｙの長さよりも長い。図２に示すように、カッター溝４８は、側面視において、インクヘッド３５の下方に位置しており、側面視において上下方向に重なる位置に配置されている。カッター溝４８は、側面視において、ノズル列３６ａと上下方向に重なる位置に配置されており、詳しくは、ノズル列３６ａを副走査方向Ｘに４等分したときの最も後方に位置する部位と上下方向に重なる位置に配置されている。
【００２９】
プラテン１６ａの裏面側には、ヒータ５０が設けられている。本実施形態では、ヒータ５０は、プラテン１６ａの裏面の副走査方向Ｘの中央部分に設置されている。ただし、ヒータ５０は、プラテン１６ａの裏面の後部に設置されていてもよい。ヒータ５０は、プラテン１６ａを加熱する。プラテン１６ａが加熱されることによって、プラテン１６ａ上に配置されている記録媒体５および記録媒体５に着弾したインクが加熱され、インクの乾燥が促進される。本実施形態では、ヒータ５０の一部（ここでは、ヒータ５０を副走査方向Ｘで２等分したときの前部分）は、側面視において、インクヘッド３５（言い換えると、ノズル列３６ａ）と上下方向に重なる位置に配置されている。
【００３０】
本実施形態では、図４に示すように、プラテン１６ａは、吸引孔６０を有している。吸引孔６０は、複数の第１吸引孔６１と、複数の第２吸引孔６２と、複数の第３吸引孔６３と、複数の第４吸引孔６４とを備えている。それぞれ複数の第１吸引孔６１、第２吸引孔６２、第３吸引孔６３および第４吸引孔６４は、主走査方向Ｙに１列に並んで配置されているが、主走査方向Ｙに千鳥状に配置されていてもよい。なお、第１吸引孔６１の数と、第２吸引孔６２の数と、第３吸引孔６３の数と、第４吸引孔６４の数とは、同じであってもよいし、異なっていてもよい。本実施形態では、第１〜第４吸引孔６１〜６４の大きさは、同じであるが、一部の大きさが異なっていてもよい。例えば、第１〜第４吸引孔６１〜６４の径は、３ｍｍ〜５ｍｍである。
【００３１】
図２に示すように、第１吸引孔６１は、側面視において、ノズル列３６ａの下方であって、インクヘッド３５の下方に位置している。第１吸引孔６１は、側面視において、ノズル列３６ａと上下方向に重なる位置に配置されている。言い換えると、平面視において、複数の吸引孔６１の一部は、インクヘッド３５と重なっている。第１吸引孔６１は、ヒータ５０よりも前方のプラテン１６ａの部位に形成されている。また、第１吸引孔６１は、カッター溝４８の前方に位置している。
【００３２】
第２吸引孔６２は、第１吸引孔６１の後方に位置している。第２吸引孔６２は、側面視において、インクヘッド３５（言い換えると、ノズル列３６ａ）と上下方向に重なる位置に配置されておらず、インクヘッド３５よりも後方に位置している。また、第２吸引孔６２は、平面視において、ヒータ５０よりも後方に位置しており、かつ、カッター溝４８の後方に位置している。ここでは、第２吸引孔６２は、グリットローラ２５よりも前方に位置している。すなわち、第２吸引孔６３は、平面視において、ヒータ５０とグリットローラ２５との間に位置している。
【００３３】
第３吸引孔６３は、第１吸引孔６１の前方に位置している。本実施形態では、第３吸引孔６３は、側面視において、インクヘッド３５と上下方向に重なる位置に配置されておらず、インクヘッド３５よりも前方に位置している。ただし、第３吸引孔６３は、側面視において、インクヘッド３５と上下方向に重なる位置に配置されていてもよい。また、第３吸引孔６３は、平面視において、ヒータ５０よりも前方に位置しており、かつ、カッター溝４８の前方に位置している。第４吸引孔６４は、第２吸引孔６２の後方に位置している。本実施形態では、第４吸引孔６４は、側面視において、インクヘッド３５と上下方向に重なる位置に配置されておらず、インクヘッド３５よりも後方に位置している。また、第４吸引孔６４は、平面視において、ヒータ５０よりも後方に位置しており、かつ、カッター溝４８の後方に位置している。第４吸引孔６４は、グリットローラ２５よりも後方に位置している。
【００３４】
本実施形態では、プラテン１６ａの下方には、吸引装置５１が設けられている。吸引装置５１は、プラテン１６ａに形成された吸引孔６０（詳しくは、第１〜第４吸引孔６１〜６４）を通じて、プラテン１６ａの上方の空気をプラテン１６ａの下方に向かって吸引することで、プラテン１６ａに載置された記録媒体５をプラテン１６ａに向かって吸引する。このことによって、記録媒体５をプラテン１６ａに密着させることができる。よって、記録媒体５がプラテン１６ａから浮き上がることに起因して、印刷が歪むことを抑制することができる。
【００３５】
以上、本実施形態に係る印刷装置１００の構成について説明した。印刷をする際、上流側サブプラテン１６ｂ上の記録媒体５は、媒体移動機構３２によって、プラテン１６ａ上に案内される。このとき、ヘッド移動機構３１（図１参照）によってインクヘッド３５が主走査方向Ｙに移動し、プラテン１６ａ上をインクヘッド３５が通過する際、インクヘッド３５のノズル３６（図３参照）から記録媒体５に向かってインクが吐出される。このことによって、１スキャン分の印刷が完了する。印刷時、プラテン１６ａに載置された記録媒体５は、ヒータ５０によって加熱された状態で、インクヘッド３５から吐出されたインクが記録媒体５に着弾する。そのため、記録媒体５に着弾したインクは乾燥し易い。また、プラテン１６ａに載置された記録媒体５は、吸引装置５１によって、第１〜第４吸引孔６１〜６４を通じて吸引されている。そのため、記録媒体５は、プラテン１６ａから浮き上がり難い。なお、１スキャン分の印刷が完了した後、プラテン１６ａに載置された記録媒体５は、媒体移動機構３２によって下流側サブプラテン１６ｃに向かって搬送され、次の１スキャン分の印刷が行われる。
【００３６】
以上のように、本実施形態では、第１吸引孔６１は、側面視において、ノズル列３６ａと上下方向で重なる位置に配置されている。このことによって、記録媒体５のうちインクが着弾する部位は、少なくとも第１吸引孔６１を通じて吸引装置５１によって吸引される。よって、インクが着弾する記録媒体５の部位がプラテン１６ａから浮き上がり難い。本実施形態では、ヒータ５０によって記録媒体５が熱せられ、熱せられた記録媒体５の部位がノズル列３６ａの真下に移動した後に、記録媒体５にインクが着弾する。このことによって、記録媒体５に着弾したインクの乾燥を促進することができる。また、本実施形態によれば、第１吸引孔６１は、ヒータ５０よりも副走査方向Ｘの下流側（ここでは、前方）に位置している。このことによって、ヒータ５０と上下方向に重なるプラテン１６ａの部位に第１吸引孔６１が形成されている場合と比較して、ヒータ５０と第１吸引孔６１との距離を確保することができる。よって、ヒータ５０による加熱と、吸引装置５１による冷却とによって、プラテン１６ａ近傍の温度が比較的に急激に上下しないため、印刷のムラが発生することを抑制することができる。
【００３７】
本実施形態によれば、ヒータ５０と上下方向に重なるプラテン１６ａの上面には、主走査方向Ｙに延び、かつ、カッター刃４６の先端部が入り込むカッター溝４８が形成されている。吸引孔６０は、プラテン１６ａの上方の空気をプラテン１６ａの下方に吸引するための孔である。そのため、吸引孔６０は、プラテン１６ａを貫通する孔であるため、プラテン１６ａにおけるヒータ５０と上下方向に重なる位置に形成することはできない。しかしながら、カッター溝４８は、カッター刃４６の先端部が入り込む分の深さの溝であればよい。そのため、カッター溝４８は、プラテン１６ａにおけるヒータ５０と上下方向に重なる位置に形成することが可能である。よって、吸引孔６０のレイアウトを制限することなく、カッター溝４８を配置することができる。
【００３８】
本実施形態によれば、複数の第２吸引孔６２は、ヒータ５０よりも上流側のプラテン１６ａの部位に形成されている。このことによって、副走査方向Ｘにおいて、カッター溝４８の上流側に第１吸引孔６１が配置され、カッター溝４８の下流側に第２吸引孔６２が配置されている。よって、平面視において、カッター溝４８で分断されるプラテン１６ａの上流側の部位と下流側の部位とのそれぞれにおいて記録媒体５を吸着させることができる。よって、記録媒体５がプラテン１６ａから浮き上がることを抑制することができる。
【００３９】
本実施形態によれば、第２吸引孔６２は、カッター溝４８とグリットローラ２５との間に位置している。このことによって、グリットローラ２５上の記録媒体５がグリットローラ２５の回転によって下流側に搬送された際、第２吸引孔６２を通じて、記録媒体５は吸引装置５１によってプラテン１６ａに向かって吸引される。よって、プラテン１６ａに密着した状態で記録媒体５がヒータ５０上を通過し、ノズル列３６ａの真下に搬送される。よって、ヒータ５０よりも上流側および下流側において、記録媒体５がプラテン１６ａに密着し易いため、ヒータ５０上において記録媒体５浮き上がり難くすることができる。
【００４０】
以上、第１実施形態に係る印刷装置１００について説明した。次に、第２実施形態に係る印刷装置２００について説明する。なお、以下の説明において、既に説明した構成と同様の構成には同じ符号を使用し、その説明は適宜省略する。
【００４１】
＜第２実施形態＞
図５は、第２実施形態に係るキャリッジ３０の記録媒体５と対向する側の面の構成を示す模式図である。図６は、印刷装置２００の側面断面図であり、図２相当図である。図７は、プラテン１１６ａの斜視図であり、図４相当図である。本実施形態では、図５に示すように、印刷装置２００は、インクヘッド１３５Ａ〜１３５Ｄを備えている。インクヘッド１３５Ａ〜１３５Ｄは、キャリッジ３０に支持されている。インクヘッド１３５Ａ〜１３５Ｄは、いわゆるスタガ配列である。インクヘッド１３５Ａ、１３５Ｃは、互いに副走査方向Ｘに揃った位置に配置されている。インクヘッド１３５Ｂ、１３５Ｄは、互いに副走査方向Ｘに揃った位置に配置されている。インクヘッド１３５Ａ、１３５Ｃの前端は、インクヘッド１３５Ｂ、１３５Ｄの前端よりも後方、かつ、インクヘッド１３５Ｂ、１３５Ｄの後端よりも前方に位置している。なお、インクヘッド１３５Ａ〜１３５Ｄは、それぞれ副走査方向Ｘに並んで配置された複数のノズル１３６を有するノズル列１３６ａを備えている。
【００４２】
本実施形態では、図７に示すように、印刷装置２００は、プラテン１１６ａと、クランプ１５５を備えている。クランプ１５５は、記録媒体５の両端を押さえるものである。図６および図７では、記録媒体５の右端に設けられたクランプ１５５が図示されており、記録媒体５の左端に設けられたクランプ１５５の図示は省略されている。図６に示すように、クランプ１５５とプラテン１１６ａとの間に記録媒体５を挟み込むことで、記録媒体５の両端がプラテン１１６ａから浮き上がることを抑制することができる。なお、クランプ１５５の形状および材質は特に限定されない。クランプ１５５は、例えばプラテン１１６ａ上に設けられた副走査方向Ｘに延びたものである。クランプ１５５は、例えば金属によって形成されている。
【００４３】
プラテン１１６ａには、第１実施形態のカッター溝４８と同様のカッター溝１４８が形成されている。本実施形態では、プラテン１１６ａには、カッター溝１４８の他に、クランプ溝１４９が形成されている。クランプ溝１４９の一部の上方にはクランプ１５５が配置される。ここでは、クランプ溝１４９は、主走査方向Ｙの延びた溝であり、カッター溝１４８と平行になるように配置されている。クランプ溝１４９は、カッター溝１４８の前方に位置している。本実施形態では、クランプ溝１４９の内部には、磁石１４９ａが配置されている。ここでは、クランプ１５５が少なくともクランプ溝１４９の上に配置されるように、記録媒体５を介してプラテン１１６ａに載置される。このとき、クランプ溝１４９内の磁石１４９ａによって、クランプ１５５が下方に引っ張られることで、クランプ１５５とプラテン１１６ａとの間に記録媒体５を挟み込み易くなる。したがって、記録媒体５の両端がプラテン１１６ａから浮き上がることをより抑制することができる。
【００４４】
本実施形態では、図７に示すように、プラテン１１６ａは、複数の吸引孔１６０を備えている。吸引孔１６０は、複数の第１吸引孔１６１と、複数の第２吸引孔１６２と、複数の第３吸引孔１６３と、複数の第４吸引孔１６４とを備えている。それぞれ複数の第１吸引孔６１、第２吸引孔６２、第３吸引孔６３および第４吸引孔６４は、主走査方向Ｙに並んで配置されている。
【００４５】
図６に示すように、第１吸引孔１６１は、側面視において、インクヘッド１３５Ａ〜１３５Ｄのうち何れかの下方に位置し、かつ、側面視において、上下方向に重なる位置に配置されている。本実施形態では、第１吸引孔１６１は、側面視において、インクヘッド１３５Ａ、１３５Ｃと上下方向に重なる位置に配置されているが、インクヘッド１３５Ｂ、１３５Ｄと上下方向に重なる位置に配置されてもよい。平面視において、複数の第１吸引孔１６１の一部は、インクヘッド１３５Ａ〜１３５Ｄの何れかと重なっている。ここでは、第１吸引孔１６１は、ヒータ５０よりも前方に位置するプラテン１１６ａの部位に形成されている。第１吸引孔１６１は、カッター溝１４８の前方に位置しており、クランプ溝１４９の後方に位置している。言い換えると、第１吸引孔１６１は、平面視において、カッター溝１４８とクランプ溝１４９との間に位置している。
【００４６】
第２吸引孔１６２は、第１吸引孔１６１の後方に位置している。第２吸引孔１６２は、側面視において、インクヘッド１３５Ａ〜１３５Ｄの何れに対して上下方向に重なる位置に配置されておらず、インクヘッド１３５Ａ〜１３５Ｄよりも後方に位置している。また、第２吸引孔１６２は、平面視において、ヒータ５０よりも後方に位置しており、かつ、カッター溝１４８の後方に位置している。第２吸引孔１６２は、クランプ溝１４９の後方に位置している。ここでは、第２吸引孔１６２は、グリットローラ２５よりも前方に位置している。
【００４７】
第３吸引孔１６３は、第１吸引孔１６１の前方に位置している。本実施形態では、第３吸引孔１６３は、側面視において、インクヘッド１３５Ａ〜１３５Ｄのうち何れかと上下方向に重なる位置に配置されている。本実施形態では、第３吸引孔１６３は、側面視において、インクヘッド１３５Ｂ、１３５Ｄと上下方向に重なる位置に配置されているが、インクヘッド１３５Ａ、１３５Ｃと上下方向に重なる位置に配置されていてもよい。ただし、第３吸引孔１６３は、側面視において、インクヘッド１３５Ａ〜１３５Ｄの何れに対して上下方向に重なる位置に配置されていなくてもよい。すなわち、第３吸引孔１６３は、側面視において、インクヘッド１３５Ａ〜１３５Ｄよりも前方に位置していてもよい。第３吸引孔１６３は、クランプ溝１４９の前方に位置している。また、第３吸引孔１６３は、平面視において、ヒータ５０よりも前方に位置しており、かつ、カッター溝１４８の前方に位置している。
【００４８】
第４吸引孔１６４は、第２吸引孔１６２の後方に位置している。本実施形態では、第４吸引孔１６４は、側面視において、インクヘッド１３５Ａ〜１３５Ｄの何れに対して上下方向に重なる位置に配置されておらず、インクヘッド１３５Ａ〜１３５Ｄよりも後方に位置している。第４吸引孔１６４は、グリットローラ２５よりも後方に位置している。
【００４９】
本実施形態では、印刷をする際、プラテン１１６ａに記録媒体５が載置される。このとき、記録媒体５の両端には、クランプ１５５が設けられ、記録媒体５の両端は、プラテン１１６ａとクランプ１５５によって挟まれた状態となる。このような状態において、記録媒体５に対して印刷が行われる。なお、印刷の具体的な手順は、第１実施形態と同様のため、詳しい説明は省略する。
【００５０】
本実施形態であっても、記録媒体５のうちインクが着弾する部位は、第１吸引孔１６１を通じて吸引装置５１によって吸引される。よって、インクが着弾する記録媒体５の部位をプラテン１１６ａに密着させることができる。また、ヒータ５０によって記録媒体５が熱せられ、熱せられた記録媒体５の部位がノズル列１３６ａの真下に移動した後に、記録媒体５にインクが着弾する。そのため、記録媒体５に着弾したインクの乾燥を促進することができる。また、本実施形態では、ヒータ５０に上下方向で重なるプラテン１１６ａの部位に第１吸引孔１６１が形成されている場合と比較して、ヒータ５０と第１吸引孔１６１との距離を確保することができる。よって、ヒータ５０による加熱と、吸引装置５１による冷却とによって、プラテン１１６ａ近傍の温度が比較的に急激に上下しないため、印刷のムラが発生することを抑制することができる。
【００５１】
本実施形態のように、カッター溝１４８およびクランプ溝１４９などの２つの溝がプラテン１１６ａに形成されている場合、カッター溝１４８とクランプ溝１４９との間のプラテン１１６ａの部位に載置された記録媒体５は浮き易くなる。しかしながら、本実施形態では、第１吸引孔１６１よりも上流側のプラテン１１６ａの部位には、カッター溝１４８が形成され、第１吸引孔１６１よりも下流側のプラテン１１６ａの部位には、クランプ溝１４９が形成されている。第１吸引孔１６１は、カッター溝１４８とクランプ溝１４９との間に位置している。よって、カッター溝１４８とクランプ溝１４９との間のプラテン１１６ａの部位に載置された記録媒体５は、第１吸引孔１６１を通じて吸引装置５１によって吸引されるため、プラテン１１６ａから浮き難い。
【００５２】
本実施形態では、クランプ溝１４９の下流側のプラテン１１６ａの部位には、複数の第３吸引孔１６３が形成されている。インクが着弾された記録媒体５の部位は、クランプ溝１４９よりも下流側に搬送された際、第３吸引孔１６３を通じて、吸引装置５１によってプラテン１１６ａに向かって吸引される。そのため、クランプ溝１４９よりも下流側に位置する記録媒体５は、プラテン１１６ａに密着した状態になる。よって、記録媒体５をノズル列１３６ａの下方からクランプ溝１４９の下流側に搬送する際、記録媒体５にしわができ難くすることができる。
【００５３】
なお、第２実施形態に係るクランプ１５５は、第１実施形態に係る印刷装置１００に設けられていてもよいし、クランプ溝１４９は、第１実施形態に係るプラテン１６ａに形成されていてもよい。
【符号の説明】
【００５４】
５  記録媒体
１６ａ、１１６ａ  プラテン
３１  ヘッド移動機構
３２  媒体移動機構
３５、１３５  インクヘッド
３６、１３６  ノズル
３６ａ、１３６ａ  ノズル列
４８、１４８  カッター溝
５０  ヒータ
５１  吸引装置
６１、１６１  第１吸引孔
６２、１６２  第２吸引孔
６３、１６３  第３吸引孔
６４、１６４  第４吸引孔
１００、２００  印刷装置
１４９  クランプ溝
【図１】
2019136902.tif 000003
【図２】
2019136902.tif 000004
【図３】
2019136902.tif 000005
【図４】
2019136902.tif 000006
【図５】
2019136902.tif 000007
【図６】
2019136902.tif 000008
【図７】
2019136902.tif 000009